(57)【要約】【課題】アナログ映像信号に付加されるマクロビジョン信号の情報とＣＧＭＳデータとの間の整合性をとることができるデータ処理装置、データ処理方法及びデータ処理プログラムを提供する。【解決手段】ＣＧＭＳデータとマクロビジョン信号とが付加されたアナログ映像信号ＳＶｉｎが入力されるデータ処理装置１０に、判定手段３３Ａ，書換え手段３３Ｂ及び制御手段３３Ｃを有する制御部３３が設けられている。ＣＧＭＳデータはＣＧＭＳデコード部１３１から、マクロビジョン信号の情報はマクロビジョン検出部１３２から判定手段３３Ａにそれぞれ入力される。判定手段３３Ａでは、マクロビジョン信号の情報とＣＧＭＳデータとが矛盾していないかが判定され、矛盾している場合には、書換え手段３３ＢにおいてＣＧＭＳデータが書き換えられたのち、判定手段３３Ａにおいて、両者は矛盾していないかどうかが再度判定される。【選択図】        図１
2004214887.tif 000002
【特許請求の範囲】
【請求項１】
アナログ映像信号と、このアナログ映像信号の機器への記録の可否を示す第１の付加情報と、前記映像信号の記録を防止するための第２の付加情報とを含むデータが入力され、このデータを処理する装置であって、
前記第１の付加情報の記録の可否の情報と、前記第２の付加情報とが矛盾しているか否かを判定する判定手段と、
これらが矛盾している場合に、前記第１の付加情報を前記第２の付加情報に基づいて書き換える書換え手段と
を備えたことを特徴とするデータ処理装置。
【請求項２】
前記第２の付加情報は、前記映像信号にスクランブルがかけられているか否か及びかけられているスクランブルの情報であることを特徴とする請求項１記載のデータ処理装置。
【請求項３】
前記第２の付加情報は、マクロビジョン信号の有無及び種類であることを特徴とする請求項１記載のデータ処理装置。
【請求項４】
前記第１の付加情報は、ＣＧＭＳデータであることを特徴とする請求項１ないし３のいずれか１項に記載のデータ処理装置。
【請求項５】
前記第１の付加情報が、映像信号の記録を防止するためのコピープロテクション情報と、複製可能なコピー世代を管理する複製制御情報とを含み、
前記判定手段は、前記第１の付加情報のコピープロテクション情報と前記第２の付加情報とが一致しているか否かを判断すると共に、前記第１の付加情報の複製制御情報と前記第２の付加情報とが矛盾しているか否かを判断し、前記第１の付加情報のコピープロテクション情報と前記第２の付加情報とが一致しており、かつ前記第１の付加情報の複製制御情報と前記第２の付加情報とが矛盾していない場合に、前記第１の付加情報の記録の可否の情報と前記第２の付加情報とは矛盾していないと判定することを特徴とする請求項１ないし４のいずれか１項に記載のデータ処理装置。
【請求項６】
請求項１ないし５のいずれか１項に記載のデータ処理装置を備えたことを特徴とするデータ記録再生装置。
【請求項７】
アナログ映像信号と、このアナログ映像信号の機器への記録の可否を示す第１の付加情報と、前記映像信号の記録を防止する第２の付加情報とを含む入力データを処理する方法であって、
前記第１の付加情報の記録の可否の情報と、前記第２の付加情報とが矛盾しているか否かを判定するステップと、
これらが矛盾している場合に、前記第１の付加情報を前記第２の付加情報に基づいて書き換えるステップと
を含むことを特徴とするデータ処理方法。
【請求項８】
コンピュータにより動作可能であるプログラムであって、
アナログ映像信号の機器への記録の可否を示す第１の付加情報と、前記映像信号の記録を防止するための第２の付加情報とが矛盾しているか否かを判定する手順と、
これらが矛盾している場合に、前記第１の付加情報を前記第２の付加情報に基づいて書き換える手順と
を含むことを特徴とするプログラム。
【請求項９】
前記第１の付加情報が、映像信号の記録を防止するためのコピープロテクション情報と、複製可能なコピー世代を管理する複製制御情報とを含み、
前記判定する手順は、前記第１の付加情報のコピープロテクション情報と前記第２の付加情報とが一致しているか否かを判断すると共に、前記第１の付加情報の複製制御情報と前記第２の付加情報とが矛盾しているか否かを判断し、前記第１の付加情報のコピープロテクション情報と前記第２の付加情報とが一致しており、かつ前記第１の付加情報の複製制御情報と前記第２の付加情報とが矛盾していない場合に、前記第１の付加情報の記録の可否の情報と前記第２の付加情報とは矛盾していないと判定することを特徴とする請求項８記載のプログラム。
【発明の詳細な説明】
【０００１】
【発明の属する技術分野】
本発明は、アナログ映像信号にコピープロテクション情報が付加された入力データを処理するデータ処理装置、データ記録再生装置、データ処理方法及びプログラムに関する。
【０００２】
【従来の技術】
一般的に、テレビ放送などのアナログ映像音声信号が、ビデオテープレコーダ（ＶＴＲ）などのデータ記録再生装置に入力される際、このアナログ映像音声信号には、信号の不正コピーを防止するため、例えば、マクロビジョン信号及びＣＧＭＳ（Ｃｏｐｙ  Ｇｅｎｅｒａｔｉｏｎ  Ｍａｎａｇｅｍｅｎｔ  Ｓｙｓｔｅｍ）データが付加されている。上記マクロビジョン信号は、映像信号の水平帰線期間に擬似同期パルスを挿入したり、さらに、水平帰線期間のカラーバースト信号の位相を２０ライン毎に２ライン又は４ライン分反転させて色反転を生じさせることにより、映像信号が正常に記録されないようにするものである。また、上記ＣＧＭＳデータは、データ記録再生装置が受け取った映像信号のコピーの許可，不許可を判断するために用いるものである（例えば、特許文献１参照）。
【０００３】
【特許文献１】
特開平１０−９３９１４号公報（第４〜５頁）
【０００４】
上記ＣＧＭＳデータは、より詳細には、ＮＴＳＣ信号の垂直帰線期間に挿入されており、２ビットの複製制御情報（ＣＧＭＳ−Ａ情報）と２ビットのコピープロテクション情報とを含んで構成されている。図７（Ａ），（Ｂ）は、上記複製制御情報及びコピープロテクション情報を具体的に示したものである。図７（Ａ）から分かるように、複製制御情報の「００」はコピーフリー，「１０」は１世代のみコピー可，「０１」はこれ以上はコピー不可，「１１」はコピー不可をそれぞれ示すものである。また、図７（Ｂ）から分かるように、コピープロテクション情報の「００」は上述した擬似同期パルスの挿入もカラーバースト信号の位相の反転もなし，「０１」は擬似同期パルスの挿入，「１０」は擬似同期パルスの挿入及びカラーバースト信号の位相の２ライン反転，「１１」は擬似同期パルスの挿入及びカラーバースト信号の位相の４ライン反転をそれぞれ示すものである。
【０００５】
図８は、上述したような従来のデータ記録再生装置に用いられている信号処理装置の機能構成の一例を表す部分ブロック図である。この信号処理装置は、上記ＣＧＭＳデータが付加されると共に必要に応じてマクロビジョン信号が付加されたアナログ映像音声入力信号ＳＡＶｉｎを処理する装置であり、映像ＡＤ変換部１１１，Ｙ／Ｃ分離部１１２，映像データ処理部１１３，データリンク部１１４，データ蓄積部１１５，映像再生処理部１１６，コピー制御データ付加部１１７及び映像ＤＡ変換部１１８を有している。この信号処理装置は、また、ＣＧＭＳデコード部１３１，マクロビジョン検出部１３２及び制御部１３３を有している。なお、ここでは、説明を簡単にするために、音声信号系についての説明は省略する。
【０００６】
この信号処理装置では、入力されたアナログ映像信号ＳＶｉｎは、映像ＡＤ変換部１１１においてデジタル変換され、Ｙ／Ｃ分離部１１２において輝度（Ｙ）信号と色（Ｃ）信号とに分離され、これら輝度信号及び色信号は映像データ処理部１１３において所定の処理を施され、データリンク部１１４に供給される。また、映像データ処理部１１３において、ＣＧＭＳデータ及びマクロビジョン信号が付加されているべき部分（以下、マクロビジョン信号付加部分という。）、すなわち垂直帰線期間及び水平帰線期間の所定の部分がそれぞれ抽出される。これらのうち、マクロビジョン信号付加部分は、マクロビジョン検出部１３２に伝送され、ここでマクロビジョン信号の有無及びその種類が検出される。また、ＣＧＭＳデータは、ＣＧＭＳデコード部１３１に伝送されて解読されたのち、制御部１３３に供給され、データリンク部１１４において映像データに付加される。
【０００７】
そののち、入力アナログ映像信号ＳＶｉｎが直接再生されるモード（以下、直接再生モードという。）が選択されている場合には、ＣＧＭＳデータが付加された映像データは、映像再生処理部１１６に伝送され、映像再生処理部１１６において所定の処理が施され、コピー制御データ付加部１１７に伝送される。コピー制御データ付加部１１７では、マクロビジョン検出部１３２からのマクロビジョン信号付加部分が映像データに付加される。この映像データは、映像ＤＡ変換部１１８においてアナログ変換され、これにより、ＣＧＭＳデータ及びマクロビジョン信号の情報が付加されたアナログ映像出力信号ＳＶｏｕｔが生成される。
【０００８】
また、記録モードが選択されている場合には、ＣＧＭＳデータがコピー可の情報（上記複製制御情報が「００」又は「１０」）を持っていれば、ＣＧＭＳデータが付加された映像データは、データ蓄積部１１５に伝送され、読み出して再生する際に、データリンク部１１４に再度供給される。読み出し再生時には、データリンク部１１４に供給された映像データ及びＣＧＭＳデータは、上述した直接再生モード場合と同様に、映像再生処理部１１６を介してコピー制御データ付加部１１７に伝送される。ＣＧＭＳデータは、また、制御部１３３にも供給され、ここでＣＧＭＳデータに基づいてマクロビジョン信号の情報が生成される。生成されたマクロビジョン信号の情報は、コピー制御データ付加部１１７において映像データに付加され、映像データは映像ＤＡ変換部１１８においてアナログ変換され、これにより、ＣＧＭＳデータ及びマクロビジョン信号の情報が付加されたアナログ映像出力信号ＳＶｏｕｔが生成される。
【０００９】
【発明が解決しようとする課題】
このように、上述したような従来の信号処理装置では、直接再生モードの場合、マクロビジョン信号及びＣＧＭＳデータは、装置内において分離された後、別々の経路を通り、映像信号に個別に付加されていた（マクロビジョン信号はコピー制御データ付加部１１７、ＣＧＭＳデータはデータリンク部１１４）。そのため、伝送エラー等によってマクロビジョン信号の情報とＣＧＭＳデータの内容とが一致しない場合が発生すると、不都合が生じてしまうという問題があった。
【００１０】
具体的には、例えば、当初、マクロビジョン信号が付加されると共に、コピー不可の情報を持つＣＧＭＳデータ（複製制御情報が「１１」又は「０１」）が付加されていた映像信号が、伝送エラーによりコピー可の情報を持つＣＧＭＳデータが付加された状態で入力された場合、直接再生モードでは、マクロビジョンが付加され、かつコピー可の情報を持つＣＧＭＳデータが付加された映像信号ＳＶｏｕｔが出力される。この出力映像信号を記録すると、ＣＧＭＳデータがコピー可の情報を持つために記録は可能であるが、マクロビジョン信号が付加されているために正常に記録されず、再生時に映像が乱れて正しく再生されない。その結果、視聴者が、データ記録再生装置又は映像を表示する表示装置が故障したと勘違いしてしまう等の不都合が生じてしまう。
【００１１】
なお、デジタル映像入力信号ＳＡＶｉｎを処理する場合には、上述したアナログ用のデータ処理装置に対応するデジタル用のデータ処理装置内にマクロビジョン信号発生器が存在し、このマクロビジョン信号発生器によりマクロビジョン信号が映像信号に付加されるようになっている（例えば、上記特許文献１の第４頁参照）。そのため、上述したアナログ信号が入力される場合のようにマクロビジョン信号の情報とＣＧＭＳデータの内容とが一致しない可能性はないと考えられる。
【００１２】
本発明はかかる問題点に鑑みてなされたもので、その目的は、アナログ映像信号に付加されるマクロビジョン信号の情報とＣＧＭＳデータとの間の整合性をとることができるデータ処理装置、データ記録再生装置、データ処理方法及びプログラムを提供することにある。
【００１３】
【課題を解決するための手段】
本発明によるデータ処理装置は、アナログ映像信号と、このアナログ映像信号の機器への記録の可否を示す第１の付加情報と、映像信号の記録を防止するための第２の付加情報とを含むデータが入力され、このデータを処理する装置であって、第１の付加情報の記録の可否の情報と、第２の付加情報とが矛盾しているか否かを判定する判定手段と、これらが矛盾している場合に、第１の付加情報を第２の付加情報に基づいて書き換える書換え手段とを備えたことを特徴としている。また、本発明によるデータ記録再生装置は、上述したデータ処理装置を備えたことを特徴としている。なお、ここで、「記録」とは、一時記憶を含んでいる。
【００１４】
本発明によるデータ処理方法は、アナログ映像信号と、このアナログ映像信号の機器への記録の可否を示す第１の付加情報と、映像信号の記録を防止する第２の付加情報とを含む入力データを処理する方法であって、第１の付加情報の記録又は一時記憶の可否の情報と、第２の付加情報とが矛盾しているか否かを判定するステップと、これらが矛盾している場合に、第１の付加情報を第２の付加情報に基づいて書き換えるステップとを含むことを特徴としている。
【００１５】
本発明によるデータ処理装置又はデータ記録再生装置又はデータ処理方法では、第１の付加情報の記録の可否の情報と第２の付加情報とが矛盾しているか否かが判定され、矛盾している場合には、第２の付加情報に基づいて第１の付加情報が書き換えられるので、入力時等に第１の付加情報と第２の付加情報とが矛盾している場合であっても、これらの整合性がとられる。よって、矛盾したままの情報が出力されることが防止される。
【００１６】
上記第１の付加情報としては、例えばＣＧＭＳデータが挙げられる。また、上記第２の付加情報としては、例えば、映像信号にスクランブルがかけられているか否か及びかけられているスクランブルの情報、並びにマクロビジョン信号の有無及び種類が挙げられる。
【００１７】
上記第１の付加情報が、映像信号の記録を防止するためのコピープロテクション情報と、複製可能なコピー世代を管理する複製制御情報とを含む場合、上記判定手段は、第１の付加情報のコピープロテクション情報と第２の付加情報とが一致しているか否かを判断すると共に、第１の付加情報の複製制御情報と第２の付加情報とが矛盾しているか否かを判断し、第１の付加情報のコピープロテクション情報と第２の付加情報とが一致しており、かつ第１の付加情報の複製制御情報と第２の付加情報とが矛盾していない場合に、第１の付加情報の記録又は一時記憶の可否の情報と第２の付加情報とは矛盾していないと判定することが好ましい。
【００１８】
本発明によるプログラムは、コンピュータにより動作可能であるプログラムであって、アナログ映像信号の機器への記録の可否を示す第１の付加情報と、映像信号の記録を防止するための第２の付加情報とが矛盾しているか否かを判定する手順と、これらが矛盾している場合に、第１の付加情報を前記第２の付加情報に基づいて書き換える手順とを含むことを特徴としている。
【００１９】
【発明の実施の形態】
以下、本発明の実施の形態について図面を参照して詳細に説明する。
【００２０】
まず、図１ないし図３及び先の図７を参照して、本発明の一実施の形態に係るデータ処理装置の構成について説明する。
【００２１】
図１は、本実施の形態に係るデータ処理装置１０の機能構成を表すブロック図である。データ処理装置１０は、ＣＧＭＳデータが付加されると共に必要に応じてマクロビジョン信号が付加されたアナログ（ＮＴＳＣ）映像音声信号ＳＡＶｉｎを含むデータが入力され、このデータを処理する装置である。このデータ処理装置１０は、例えば、ＨＤＤ（ｈａｒｄ  ｄｉｓｋ  ｄｒｉｖｅ）のようなデジタル記録が可能な記録媒体を備えたテレビ受像機等のデータ記録再生装置に用いられるものである。
【００２２】
データ処理装置１０は、入力されたアナログ映像音声信号ＳＡＶｉｎの映像信号ＳＶｉｎをデジタル変換する映像ＡＤ変換部１１と、デジタル変換された映像データから輝度（Ｙ）信号成分と色（Ｃ）信号成分とを分離するＹ／Ｃ分離部１２と、輝度信号及び色信号を用いて色復調などの処理を行い、色差信号を生成すると共に、ＣＧＭＳデータ及びマクロビジョン信号付加部分を抽出する映像データ処理部１３と、入力されたアナログ映像音声信号ＳＡＶｉｎの音声信号ＳＡｉｎをデジタル変換する音声ＡＤ変換部２１と、デジタル変換された音声データをフォーマット化する音声処理部２２と、映像データ処理部１３において生成された色差信号及び音声処理部２２において処理された音声データが供給されるデータリンク部１４とを備えている。このデータ処理装置１０は、また、記録又は一時記憶時に映像データ及び音声データを蓄積するデータ蓄積部１５と、上記色差信号からＲＧＢ信号を生成する映像再生処理部１６と、生成されたＲＧＢ信号にマクロビジョン信号の情報を付加するコピー制御データ付加部１７と、ＲＧＢ信号をアナログ変換し、アナログ映像出力信号ＳＶｏｕｔを生成する映像ＤＡ変換部１８と、上記フォーマット化された音声データを処理する音声再生処理部２３と、この音声データをアナログ変換し、アナログ音声出力信号ＳＡｏｕｔを生成する音声ＤＡ変換部２４とを備えている。
【００２３】
データ処理装置１０は、更に、映像データ処理部１３において抽出されたＣＧＭＳデータが入力され、このＣＧＭＳデータを解読するＣＧＭＳデコード部３１と、映像データ処理部１３において抽出されたマクロビジョン信号付加部分が入力され、マクロビジョン信号の有無及びマクロビジョン信号が存在する場合にはその種類（以下、これらをマクロビジョン信号の情報ともいう。）を検出するマクロビジョン検出部３２とを備えている。なお、抽出されるＣＧＭＳデータは、映像信号ＳＶｉｎの垂直帰線期間に挿入されており、２０ビットで表され、複製可能なコピー世代を管理する２ビットの複製制御情報（図７（Ａ）参照）と、映像信号の記録を防止するための２ビットのコピープロテクション情報（図７（Ｂ）参照）とを含んでいる。また、マクロビジョン信号は、映像信号ＳＶｉｎの水平帰線期間に挿入されている。
【００２４】
データ処理装置１０には、また、ＣＧＭＳデコード部３１からのＣＧＭＳデータ及びマクロビジョン検出部３２からのマクロビジョン信号の情報の両方が供給される制御部３３が設けられている。この制御部３３は、マクロビジョン信号の情報とＣＧＭＳデータの情報とが一致しているか矛盾しているかを判定する判定手段３３Ａと、これらが矛盾している場合に、ＣＧＭＳデータをマクロビジョン信号の情報に基づいて書き換える書換え手段３３Ｂと、判定手段３３Ａから互いに矛盾していないＣＧＭＳデータ及びマクロビジョン信号の情報が供給される制御手段３３Ｃとを有している。
【００２５】
判定手段３３Ａは、より詳細には、例えば、まず、マクロビジョン検出部３２から供給されるマクロビジョン信号の情報が、ＣＧＭＳデータのコピープロテクション情報と一致しているか否かを判断し、そののち、ＣＧＭＳデータの複製制御情報と矛盾していないかどうかを判断する。その結果、マクロビジョン信号の情報とＣＧＭＳデータのコピープロテクション情報とが一致しており、かつマクロビジョン信号の情報とＣＧＭＳデータの複製制御情報とが矛盾していない場合にはマクロビジョン信号の情報とＣＧＭＳデータとは矛盾していないと判定し、それ以外の場合、すなわち、マクロビジョン信号の情報とＣＧＭＳデータのコピープロテクション情報とが一致していない場合、及びマクロビジョン信号の情報とＣＧＭＳデータのコピープロテクション情報とは一致しているものの、マクロビジョン信号の情報とＣＧＭＳデータの複製制御情報とが矛盾している場合には、マクロビジョン信号の情報とＣＧＭＳデータとは矛盾していると判定する。この判定手段３３Ａは、マクロビジョン信号とＣＧＭＳデータとが矛盾していないと判定すると、ＣＧＭＳデータを書き換えることなく、これらを制御手段３３Ｃに供給する。また、マクロビジョン信号とＣＧＭＳデータとが矛盾していると判定すると、ＣＧＭＳデータを書き換えるために、当該ＣＧＭＳデータを書換え手段３３Ｂに供給する。
【００２６】
図２及び図３は、マクロビジョン信号，ＣＧＭＳデータ，判定手段３３Ａにおける判定及び書換え手段３３Ｂにおける書き換えの関係の一例を具体的に表す図である。マクロビジョン信号が付加されていない場合（図２）、ＣＧＭＳデータのコピープロテクション情報が「００」であれば、これらは一致していると判断され、「０１」，「１０」，「１１」であれば、これらは一致していないと判断される。また、複製制御情報が「００」であれば、この複製制御情報とマクロビジョン信号とは矛盾していないと判断され、「０１」，「１０」，「１１」であれば、矛盾していると判断される。従って、マクロビジョン信号が付加されていない場合、ＣＧＭＳデータのコピープロテクション情報が「００」であり、かつ複製制御情報が「００」であれば、マクロビジョン信号とＣＧＭＳデータとは矛盾していないと判定され、それ以外の場合は矛盾していると判定される。
【００２７】
マクロビジョン信号として擬似水平同期パルスのみが挿入されている場合（図３）には、ＣＧＭＳデータのコピープロテクション情報が「０１」であれば、これらは一致していると判断され、「００」，「１０」，「１１」であれば、これらは一致していないと判断される。また、複製制御情報が「０１」又は「１１」であれば、複製制御情報とマクロビジョン信号とは矛盾していないと判断され、「００」，「１０」であれば、矛盾していると判断される。従って、マクロビジョン信号として擬似水平同期パルスのみが挿入されている場合、ＣＧＭＳデータのコピープロテクション情報が「０１」であり、かつ複製制御情報が「０１」又は「１１」であれば、マクロビジョン信号とＣＧＭＳデータとは矛盾していないと判定され、それ以外の場合は矛盾していると判定される。
【００２８】
なお、ここでは具体的には説明しないが、マクロビジョン信号として擬似水平同期パルスと２ライン又は４ライン位相反転カラーバースト信号とが挿入されている場合についても、判定は同様にして行われる。
【００２９】
判定手段３３Ａは、例えば１フレーム毎に上述した判定を行う。１フレーム中には、マクロビジョン信号付加部分は複数箇所、ＣＧＭＳデータ付加部分は１箇所存在する。マクロビジョン信号の情報に関しては、伝送エラーなどのために１フレーム中で異なる種類の情報が存在する可能性もあるが、その場合、例えば、３〜５フレーム毎にまとめられ、各フレームの判定結果に相違が生じている場合には、数の多い方の結果を当該フレームの最終的な判定結果として採用することが可能である。
【００３０】
書換え手段３３Ｂは、判定手段３３Ａから供給されたＣＧＭＳデータを、例えば以下のように書き換えるものである。すなわち、コピープロテクション情報がマクロビジョン信号の情報と一致していないと判断されたＣＧＭＳデータが供給された場合、まず、ＣＧＭＳデータのコピープロテクション情報をマクロビジョン信号と一致するように書き換え、そののち、複製制御情報をマクロビジョン信号と矛盾しないように必要に応じて書き換える。また、コピープロテクション情報とマクロビジョン信号の情報とは一致しているが、複製制御情報がマクロビジョン信号の情報と矛盾していると判断されたＣＧＭＳデータが供給された場合には、複製制御情報のみをマクロビジョン信号と矛盾しないように書き換える。なお、複製制御情報の書き換えの際、書き換え可能な候補が複数存在する場合には、より厳しく書き換えられるように設定されることが好ましい。
【００３１】
具体的には、例えば、マクロビジョン信号として擬似水平同期パルスのみが挿入されており（図３）、ＣＧＭＳデータのコピープロテクション情報が「０１」であり、ＣＧＭＳデータの複製制御情報が「００」である場合、すなわち、マクロビジョン信号とコピープロテクション情報とは一致しており、マクロビジョン信号と複製制御情報とは矛盾している場合、書換え手段３３Ｂは、複製制御情報を「０１」（これ以上はコピー不可）又は「１１」（コピー不可）に書き換えることが可能であるが、より厳しい「１１」に書き換える。また、マクロビジョン信号として擬似水平同期パルスのみが挿入されており、ＣＧＭＳデータのコピープロテクション情報が「００」であり、ＣＧＭＳデータの複製制御情報が「０１」である場合には、書換え手段３３Ｂは、コピープロテクション情報を「０１」に書き換える。そののち、複製制御情報については必ずしも書き換える必要はないが、より厳しい「１１」に書き換えるように設定される場合も想定される。
【００３２】
この書換え手段３３Ｂは、書き換えを行ったのち、ＣＧＭＳデータを判定手段３３Ａに供給する。この場合、書き換えられたＣＧＭＳデータを受け取った判定手段３３Ａは、例えば上述した手法により、マクロビジョン信号の情報とＣＧＭＳデータの情報とが矛盾していないかどうかを再度判定し、矛盾していないと判定すると、これらを制御手段３３Ｃに供給する。また、矛盾していると判定すると、ＣＧＭＳデータを書換え手段３３Ｂに供給する。
【００３３】
制御手段３３Ｃは、判定手段３３Ａにより矛盾していないと判定されたＣＧＭＳデータをデータリンク部１４に供給する。この制御手段３３Ｃは、また、記録モードにおいて動作する場合には、必要に応じてＣＧＭＳデータを変更する。例えば、「１０」（１世代のみコピー可）であった複製制御情報を、「０１」（これ以上はコピー不可）に変更する。この場合、コピープロテクション情報についても、これに連動して変更する。読み出し再生モードにおいて動作する場合には、データ蓄積部１５からデータリンク部１４を介してＣＧＭＳデータを受け取り、このＣＧＭＳデータのコピープロテクション情報からマクロビジョン信号の情報を復元し、復元したマクロビジョン信号の情報をコピー制御データ付加部１７に伝送する。直接再生モードにおいて動作する場合には、判定手段３３Ａからのマクロビジョン信号の情報をコピー制御データ付加部１７に伝送する。
【００３４】
次に、このような構成を有するデータ処理装置１０の動作について、先の図１及び図４〜図６を参照して説明する。なお、以下の説明は、本実施の形態に係るデータ処理方法の説明を兼ねている。
【００３５】
ＣＧＭＳデータが付加されると共に必要に応じてマクロビジョン信号が付加されたアナログ映像音声信号ＳＡＶｉｎが入力されると、映像信号ＳＶｉｎ及び音声信号ＳＡｉｎが抽出される。抽出された音声信号ＳＡｉｎは、音声ＡＤ変換部２１においてデジタル変換され、音声処理部２２においてフォーマット化される。一方、抽出された映像信号ＳＶｉｎは、映像ＡＤ変換部１１においてデジタル変換され、Ｙ／Ｃ分離部１２において輝度信号成分と色信号成分とに分離され、映像データ処理部１３において所定の処理が施され、色差信号とされ、データリンク部１４に伝送される。また、映像データ処理部１３において、ＣＧＭＳデータ及びマクロビジョン信号付加部分が抽出され、ＣＧＭＳデータはＣＧＭＳデコード部３１、マクロビジョン信号付加部分はマクロビジョン検出部３２にそれぞれ供給される。ＣＧＭＳデコード部３１では、ＣＧＭＳデータの解読が行われ、解読されたデータは制御部３３の判定手段３３Ａに供給される。マクロビジョン検出部３２では、マクロビジョン信号が付加されているか否かの検出、及びマクロビジョンが付加されている場合にはその種類の検出が行われ、検出された結果は判定手段３３Ａに伝送される。
【００３６】
以上の動作は、装置が記録モード，再生モード，一時記憶モードのいずれの動作状態にある場合においても共通の動作である。以下の動作については、上記各モードごとに説明する。
【００３７】
図４は、記録モードの場合の制御部３３における処理を示す流れ図である。記録モードの場合、制御部３３では、マクロビジョン信号に関する検出結果及びＣＧＭＳデータが判定手段３３Ａに入力される（ステップＳ１０１）と、マクロビジョン信号が付加されていたか否かが判断される（ステップＳ１０２）。ここで、マクロビジョン信号が付加されていなかった場合（ステップＳ１０２；Ｙ）には、続いてマクロビジョン信号とＣＧＭＳデータのコピープロテクション情報とが一致しているか否かが判断される（ステップＳ１０３）。これらが一致していると判断された場合（ステップＳ１０３；Ｙ）には、マクロビジョン信号とＣＧＭＳデータの複製制御情報とが矛盾していないかどうかが判断される（ステップＳ１０４）。また、一致していないと判断された場合（ステップＳ１０３；Ｎ）には、ＣＧＭＳデータのコピープロテクション情報がマクロビジョン信号と一致するように書き換えられ（ステップＳ１０５）、そののち、マクロビジョン信号とＣＧＭＳデータの複製制御情報とが矛盾していないかどうかが判断される（ステップＳ１０４）。
【００３８】
マクロビジョン信号と複製制御情報とが矛盾していないと判断された場合（ステップＳ１０４；Ｙ）、には、マクロビジョン信号とＣＧＭＳデータとは矛盾していないと判定されて、これらは制御手段３３Ｃに入力され、当該入力映像信号ＳＶｉｎは記録可能であると判定される（ステップＳ１０６）。また、マクロビジョン信号と複製制御情報とが矛盾していると判断された場合（ステップＳ１０４；Ｎ）は、複製制御情報がマクロビジョン信号と矛盾していないように書き換えられ（ステップＳ１０７）、そののち、マクロビジョン信号とＣＧＭＳデータのコピープロテクション情報とが一致しているか否かが再度判断される（ステップＳ１０３）。従って、ＣＧＭＳデコード部及びマクロビジョン検出部から判定手段３３Ａに入力されたＣＧＭＳデータとマクロビジョン信号の情報とは、制御手段３３Ｃに供給される際には、常に整合性がとられている。
【００３９】
入力映像信号ＳＶｉｎが記録可能であると判定された（ステップＳ１０６）のち、制御手段３３Ｃにおいて、ＣＧＭＳデータを変更する必要がないかどうかが判断される（ステップＳ１０８）。ＣＧＭＳデータを変更する必要がない場合（ステップＳ１０８；Ｙ）には、映像データ，音声データ及びＣＧＭＳ情報をデータリンク部１４からデータ蓄積部１５に出力するようデータリンク部１４に命令が伝送される（ステップＳ１０９）。また、ＣＧＭＳデータを変更する必要がある場合（ステップＳ１０８；Ｎ）には、ＣＧＭＳデータが書き換えられ（ステップＳ１１０）、そののち、映像データ，音声データ及びＣＧＭＳ情報をデータリンク部１４からデータ蓄積部１５に出力するようデータリンク部１４に命令が伝送される（ステップＳ１０９）。命令が伝送されると、ＣＧＭＳデータがデータリンク部１４に供給され、上記命令に応答して、映像データ，音声データ及びＣＧＭＳ情報がデータリンク部１４からデータ蓄積部１５に出力される。
【００４０】
一方、マクロビジョン信号が付加されていた場合（ステップＳ１０２；Ｎ）には、ＣＧＭＳデータは制御手段３３Ｃに入力され、制御手段３３Ｃにおいて当該入力映像信号ＳＶｉｎは記録不可能であると判定され（ステップＳ１１１）、映像データ及び音声データをデータリンク部１４からデータ蓄積部１５に出力することを禁止する命令がデータリンク部１４に伝送される（ステップＳ１１２）。
【００４１】
このように記録モードでデータ蓄積部１５に蓄積された映像データ及び音声データを読み出して再生する場合（以下、読み出し再生モードという。）には、読み出し再生の指示がなされると、映像データ，音声データ及びＣＧＭＳデータがデータ蓄積部１５からデータリンク部１４に供給される。これらのうち、音声データは、音声再生処理部２３において処理されたのち、音声ＤＡ変換部２４においてアナログ変換され、これにより、アナログ音声出力信号ＳＡｏｕｔが生成される。
【００４２】
一方、映像データは、映像再生処理部１６においてＲＧＢ信号とされ、コピー制御データ付加部１７に供給される。ＣＧＭＳデータは、映像データに付加されて映像再生処理部１６を介してコピー制御データ付加部１７に供給されると共に、制御手段３３Ｃにも供給される。制御手段３３Ｃでは、ＣＧＭＳデータのコピープロテクション情報からマクロビジョン信号の情報が復元され、復元されたマクロビジョン信号の情報はコピー制御データ付加部１７に伝送される。この場合、マクロビジョン信号の情報は、記録モードにおいて入力映像信号ＳＶｉｎに付加されたマクロビジョン信号の情報と整合性のとられたＣＧＭＳデータから復元されるので、復元に際して、従来の装置とは異なり、入力映像信号ＳＶｉｎに付加されたマクロビジョン信号の情報を反映したものとなる。
【００４３】
コピー制御データ付加部１７では、映像データにマクロビジョン信号の情報が付加され、映像データにＣＧＭＳデータとマクロビジョン信号の情報とが付加された状態で映像ＤＡ変換部１８に供給される。映像ＤＡ変換部１８において、映像データがアナログ変換され、これにより、ＣＧＭＳデータ及びマクロビジョン信号の情報が付加されたアナログ映像出力信号ＳＶｏｕｔが生成され、上述したアナログ音声出力信号ＳＡｏｕｔと共にデータ処理装置１０から出力される。
【００４４】
図５は、入力映像音声信号ＳＡＶｉｎが直接再生される場合（直接再生モード）の制御部３３における処理を示す流れ図である。直接再生モードの場合、判定手段３３Ａにマクロビジョン信号に関する検出結果及びＣＧＭＳデータが入力される（ステップＳ２０１）と、マクロビジョン信号の情報とＣＧＭＳデータのコピープロテクション情報とが一致しているか否かが判断される（ステップＳ２０２）。ここで、一致していると判断された場合（ステップＳ２０２；Ｙ）には、マクロビジョン信号の情報とＣＧＭＳデータの複製制御情報とが矛盾していないかどうかが判断される（ステップＳ２０３）。また、一致していないと判断された場合（ステップＳ２０２；Ｎ）には、ＣＧＭＳデータのコピープロテクション情報がマクロビジョン信号の情報と一致するように書き換えられ（ステップＳ２０４）、そののち、マクロビジョン信号の情報とＣＧＭＳデータの複製制御情報とが矛盾していないかどうかが判断される（ステップＳ２０３）。
【００４５】
マクロビジョン信号の情報と複製制御情報とが矛盾していない場合（ステップＳ２０３；Ｙ）には、マクロビジョン信号の情報とＣＧＭＳデータとは矛盾していないと判定されて、これらは制御手段３３Ｃに入力される。制御手段３３Ｃでは、当該入力映像信号ＳＶｉｎは再生可能であると判定され（ステップＳ２０５）、映像データ及びＣＧＭＳ情報，音声データをデータリンク部１４から映像再生処理部１６及び音声再生処理部２３にそれぞれ出力するようデータリンク部１４に命令が伝送される（ステップＳ２０６）。一方、マクロビジョン信号の情報と複製制御情報とが矛盾している場合（ステップＳ２０３；Ｎ）は、複製制御情報がマクロビジョン信号と矛盾していないように書き換えられ（ステップＳ２０７）、そののち、マクロビジョン信号の情報とＣＧＭＳデータのコピープロテクション情報とが一致しているか否かが再度判断される（ステップＳ２０２）。従って、この場合も記録モードの場合と同様に、判定手段３３Ａに入力されたマクロビジョン信号の情報とＣＧＭＳデータとは、制御手段３３Ｃに供給される際に、常に整合性がとられている。
【００４６】
制御手段３３Ｃからデータリンク部１４に命令が伝送される（ステップＳ２０６）と、ＣＧＭＳデータがデータリンク部１４に供給され、上記命令に応答して、映像データ及びＣＧＭＳ情報，音声データがデータリンク部１４から映像再生処理部１６又は音声再生処理部２３にそれぞれ出力される。これ以後の動作は、制御手段３３Ｃにおいて、判定手段３３Ａから伝送されたマクロビジョン信号の情報がコピー制御データ付加部１７に伝送されることを除き、他は上述した読み出し再生モードの場合と同様である。
【００４７】
図６は、放送中（オンエア）のテレビ番組の視聴を一時停止したのち再開する所謂タイムシフト再生の場合（以下、一時記憶モードともいう。）の制御部３３における処理を示す流れ図である。なお、ここでは、近年提案されているコピー不可の情報が付加されている場合のタイムシフト再生を例に挙げて説明する。
【００４８】
判定手段３３Ａにマクロビジョン信号に関する検出結果及びＣＧＭＳデータが入力されている状態（ステップＳ３０１）において、直接再生を停止して一時記憶を開始する指示が与えられる（ステップＳ３０２）と、マクロビジョン信号とＣＧＭＳデータのコピープロテクション情報とが一致しているか否かが判断される（ステップＳ３０３）。これらが一致している場合（ステップＳ３０３；Ｙ）には、マクロビジョン信号とＣＧＭＳデータの複製制御情報とが矛盾していないかどうかが判断される（ステップＳ３０４）。また、マクロビジョン信号とコピープロテクション情報とが一致していない場合（ステップＳ３０３；Ｎ）には、コピープロテクション情報がマクロビジョン信号と一致するように書き換えられ（ステップＳ３０５）、そののち、マクロビジョン信号とＣＧＭＳデータの複製制御情報とが矛盾していないかどうかが判断される（ステップＳ３０４）。
【００４９】
マクロビジョン信号と複製制御情報とが矛盾していない場合（ステップＳ３０４；Ｙ）、には、マクロビジョン信号とＣＧＭＳデータとは矛盾していないと判定されて、これらは制御手段３３Ｃに入力され、当該入力映像信号ＳＶｉｎは一時記憶可能であると判定され、一時記憶が開始される（ステップＳ３０６）。また、マクロビジョン信号と複製制御情報とが矛盾している場合（ステップＳ３０４；Ｎ）は、複製制御情報がマクロビジョン信号と矛盾していないように書き換えられ（ステップＳ３０７）、そののち、マクロビジョン信号とＣＧＭＳデータのコピープロテクション情報との一致／不一致が再度判断される（ステップＳ３０３）。
【００５０】
一時記憶が開始された（ステップＳ３０６）のち、制御手段３３Ｃにおいて、一時記憶されたものを読み出すよう指示されたか否かが判断され（ステップＳ３０７）、指示されていない場合（ステップＳ３０７；Ｎ）には、映像データ，音声データ及びＣＧＭＳ情報をデータリンク部１４からデータ蓄積部１５に出力するようデータリンク部１４に命令が伝送される（ステップＳ３０８）。命令が伝送されると、ＣＧＭＳデータがデータリンク部１４に供給され、上記命令に応答して映像データ，音声データ及びＣＧＭＳ情報がデータリンク部１４からデータ蓄積部１５に出力される。この動作は、一時記憶の停止の指示が与えられたか否かの判断（ステップＳ３０９）において、与えられたと判断される（ステップＳ３０９；Ｙ）まで続けられる。
【００５１】
一方、一時記憶されたものを読み出すよう指示された場合（ステップＳ３０７；Ｙ）は、上述した命令がデータリンク部１４に伝送される（ステップＳ３０８）と共に、映像データ，音声データ及びＣＧＭＳデータがデータ蓄積部１５からデータリンク部１４を介して所定の場所へ伝送される（Ｓ３１０）。すなわち、映像データは、映像再生処理部１６を経由してコピー制御データ付加部１７に伝送され、音声データは、音声再生処理部２３に伝送され、ＣＧＭＳデータは、映像再生処理部１６を経由してコピー制御データ付加部１７に伝送されると共に、制御手段３３Ｃに伝送される。これ以後の動作は、制御手段３３ＣにおいてＣＧＭＳデータのコピープロテクション情報からマクロビジョン信号の情報が復元され（Ｓ３１１）、復元されたマクロビジョン信号の情報がコピー制御データ付加部１７に伝送される（Ｓ３１２）等、上述した読み出し再生モードの場合と同様である。
【００５２】
このように本実施の形態によれば、マクロビジョン信号の情報とＣＧＭＳデータとが矛盾していないかどうかを判定し、矛盾している場合には、マクロビジョン信号の情報に基づいてＣＧＭＳデータを書き換えるようにしたので、制御部３３に入力されたマクロビジョン信号の情報とＣＧＭＳデータとの整合性をとることができる。よって、直接再生モードにおいて、マクロビジョン信号の情報とＣＧＭＳデータとが矛盾したまま出力されるおそれがない。また、記録モードにおいて、入力マクロビジョン信号の情報を反映したＣＧＭＳデータから、出力マクロビジョン信号を生成することができる。
【００５３】
また、マクロビジョン信号の情報とＣＧＭＳデータとが矛盾して場合には、ＣＧＭＳデータを書き換えたのち、マクロビジョン信号の情報とＣＧＭＳデータとが矛盾していないかどうかを再度判定するようにしたので、上述した整合性についての信頼性をより高くすることができる。
【００５４】
更に、通常、ＣＧＭＳデータは番組（イベント）単位で変化し、マクロビジョン信号はコンテンツ単位で変化するので、ＣＭの挿入などにより入力マクロビジョン信号のみが変化し、入力ＣＧＭＳデータは変化しない場合が発生するが、このような場合であっても、制御部３３に入力されたマクロビジョン信号の情報とＣＧＭＳデータとの整合性をとることができる。
【００５５】
以上、実施の形態を挙げて本発明を説明したが、本発明は上記実施の形態に限定されるものではなく、種々変形可能である。例えば、上記実施の形態では、マクロビジョン信号の情報及びＣＧＭＳデータの処理をデータ処理装置として説明したが、これらのデータ処理をソフトウェアとして構成するようにしてもよい。例えば、本発明に係るデータ処理プログラムをＲＯＭ（Ｒｅａｄ  Ｏｎｌｙ  Ｍｅｍｏｒｙ）に格納し、そのプログラムにしたがってＣＰＵ（Ｃｅｎｔｒａｌ  Ｐｒｏｃｅｓｓｉｎｇ  Ｕｎｉｔ）の指示により動作させるように構成しても良い。また、このプログラムをコンピュータで読み取り可能な記憶媒体に格納し、この記憶媒体のデータ処理プログラムをコンピュータのＲＡＭ（Ｒａｎｄｏｍ  Ａｃｃｅｓｓ  Ｍｅｍｏｒｙ）に記録して、データ処理プログラムにしたがって動作させるようにしても良い。このような場合においても、上記実施の形態と同様の作用、効果を呈する。
【００５６】
また、上記実施の形態では、記録モードにおいて、ＣＧＭＳデータを書き換えた（図４，ステップＳ１１０）のち、制御手段３３Ｃが映像データ等をデータリンク部からデータ蓄積部に出力するよう命令する場合について説明したが、ＣＧＭＳデータを書き換えたのち、制御手段３３ＣはＣＧＭＳデータ及びマクロビジョン信号の情報を判定手段３３Ａに供給し、書き換え後のＣＧＭＳデータとマクロビジョン信号とが矛盾していないかどうかを確認する（ステップＳ１０３，Ｓ１０４）ようにしてもよい。
【００５７】
更に、上記実施の形態では、読み出し再生モードにおいて、制御手段３３Ｃが、マクロビジョン信号の情報を復元したのち、この情報をコピー制御データ付加部１７に伝送する場合について説明したが、マクロビジョン信号の情報を復元したのち、制御手段３３ＣはＣＧＭＳデータ及びマクロビジョン信号の情報を判定手段３３Ａに供給し、判定手段３３Ａが復元後のマクロビジョン信号の情報とＣＧＭＳデータとが矛盾していないかどうかを確認するようにしてもよい。
【００５８】
また、上記実施の形態では、放送中のテレビ番組の視聴を一時停止したのち再開するタイムシフト再生について説明したが、本発明は、放送中のテレビ番組の記録をしながら任意の時間に番組を最初から再生するタイプのタイムシフト再生を行う場合にも有効である。
【００５９】
更に、上記実施の形態では、コピー不可の情報が付加されており、一時記憶時にＣＧＭＳ情報が変更されないタイムシフト再生について説明したが、本発明は、コピー可の情報が付加されており、一時記憶時にＣＧＭＳ情報が変更されるタイプのタイムシフト再生についても適用可能である。
【００６０】
更に、上記実施の形態では、一時記憶モードの処理を行う場合について説明したが、このモードの処理は行わず、記憶モード，読み出し再生モード及び直接再生モードのみの処理を行うようにしてもよい。
【００６１】
更に、上記実施の形態では、アナログ映像信号にマクロビジョン信号の情報が付加されて入力される場合について説明したが、本発明は、マクロビジョン信号以外のスクランブル信号の情報が付加されて入力される場合についても適用可能である。また、上記実施の形態では、ＣＧＭＳデータが付加されるＮＴＳＣ方式の信号について説明したが、ＷＳＳデータが付加されるＰＡＬ方式等の信号についても同様にして処理することが可能である。
【００６２】
加えて、本発明は、アナログ信号への記録又は一時記憶の可否を示す付加情報と、映像信号の記録を防止するための付加情報とがアナログ映像信号に付加されて入力される場合に広く適用することができる。
【００６３】
【発明の効果】
以上説明したように本発明によれば、第１の付加情報の記録又は一時記憶の可否の情報と第２の付加情報とが矛盾しているか否かを判定し、矛盾している場合には、第２の付加情報に基づいて第１の付加情報を書き換えるようにしたので、第１の付加情報の記録又は一時記憶の可否の情報と第２の付加情報との整合性をとることができる。よって、入力時等に第１の付加情報と第２の付加情報とが矛盾している場合であっても、矛盾したままの情報が出力されることを防止することができるという効果を奏する。
【図面の簡単な説明】
【図１】本発明の一実施の形態に係るデータ処理装置の機能構成を表すブロック図である。
【図２】図１に示したデータ処理装置の判定手段及び書換え手段の詳細を説明するための説明図である。
【図３】図１に示したデータ処理装置の判定手段及び書換え手段の詳細を説明するための他の説明図である。
【図４】図１に示したデータ処理装置の動作を説明するための流れ図である。
【図５】図１に示したデータ処理装置の動作を説明するための他の流れ図である。
【図６】図１に示したデータ処理装置の動作を説明するための更に他の流れ図である。
【図７】（Ａ）はＣＧＭＳデータの複製制御情報を説明するための説明図であり、（Ｂ）はＣＧＭＳデータのコピープロテクション情報を説明するための説明図である。
【図８】従来のデータ処理装置の機能構成を表すブロック図である。
【符号の説明】
１０…データ処理装置、１４…データリンク部、１５…データ蓄積部、１７…コピー制御データ付加部、３１…ＣＧＭＳデコード部、３２…マクロビジョン検出部、３３…制御部、３３Ａ…判定手段、３３Ｂ…書換え手段、３３Ｃ…制御手段
【図１】
2004214887.tif 000003
【図２】
2004214887.tif 000004
【図３】
2004214887.tif 000005
【図４】
2004214887.tif 000006
【図５】
2004214887.tif 000007
【図６】
2004214887.tif 000008
【図７】
2004214887.tif 000009
【図８】
2004214887.tif 000010